(57)【特許請求の範囲】
【請求項１】
ヘッドレスト取付具（１０）を有する車両用背もたれ（１）であって、
ヘッドレスト（５）と、
上端部（８）及び下端部（９）を備える少なくとも一つのヘッドレストスリーブ（３）を有し、前記ヘッドレスト（５）が前記ヘッドレストスリーブ（３）の前記上端部（８）に取り付けられるような仕様で提供される前記ヘッドレスト取付具（１０）と、
前記ヘッドレストスリーブ（３）が取り付けられる支持具（２）と、
前記支持具（２）に連結されるバックプレート（１４）と、
少なくとも一つの挿入スリーブ（７）を有し、第２の端部（１１）にて前記バックプレート（１４）及び／又は支持具（２）に取り付けられる構成要素（６）と、
前記支持具（２）の周辺に配置されて、少なくとも一つのカットアウト（１３）を有する発泡性材料及び布地（１２）とを備え、
前記構成要素（６）は前記挿入スリーブ（７）を、前記布地（１２）の前記カットアウト（１３）を介して前記ヘッドレストスリーブ（３）の前記下端部（９）に被せて、前記挿入スリーブ（７）を前記下端部（９）に摩擦及び／又はインターロック仕様にて結合して取り付ける
ことを特徴とする車両用背もたれ（１）。
【請求項２】
前記構成要素（６）はスクリーンであることを特徴とする請求項１記載の車両用背もたれ（１）。
【請求項３】
前記構成要素（６）にはアームレストが旋回可能に結合されることを特徴とする請求項１又は２に記載の車両用背もたれ（１）。
【請求項４】
ヘッドレスト取付具（１０）を備える背もたれ（１）を製造するための方法において、
支持具（２）はバックプレート（１４）に取り付けられ、さらに少なくとも一つのヘッドレストスリーブ（３）は前記支持具（２）に取り付けられ、
発泡性材料及び布地（１２）は前記支持具（２）の周辺に配置され、
さらに前記布地（１２）は少なくとも一つのカットアウト（１３）を有し、
さらに少なくとも一つの挿入スリーブ（７）を有する構成要素（６）が前記挿入スリーブ（７）を、下から前記布地（１２）のカットアウト（１３）を介してヘッドレストスリーブ（３）の下端部（９）に被せて、前記挿入スリーブを前記下端部（９）に摩擦及び／又はインターロック仕様にて結合し、
さらに前記構成要素（６）は次に第２の端部（１１）にてバックプレート（１４）及び／又は前記支持具（２）に取り付けられる、
ヘッドレスト取付具（１０）を備える背もたれ（１）を製造するための方法。
【発明の詳細な説明】
【技術分野】
【０００１】
本発明は、取付具の付いた車両座席用の背もたれに関し、特に前記取付具は上端部及び下端部を有する少なくもヘッドレストスリーブを備える。本発明では、ヘッドレスト取付具の付いた背もたれの製造方法もさらに提案される。
【背景技術】
【０００２】
車両座席用背もたれに関する装置及び方法は、一般的に知られている。例えば、公報FR 2 837 151は、背もたれ用の補強構成要素が取り付けられている二つのチューブを備える車両用背もたれを説明している。しかし、前記背もたれの複雑な構成及び、付加的な構成要素を前記背もたれに取り付けるときの取り付けのための高価な費用が前記背もたれの不利な点である。
【発明の概要】
【発明が解決しようとする課題】
【０００３】
本発明の目的は、従来技術から周知の背もたれの不利な点を持たないにもかかわらず、製造が複雑ではなく、さらに少ない部品の背もたれ及び背もたれを製造する方法を詳細に説明することである。
【課題を解決するための手段】
【０００４】
本発明は、ヘッドレスト取付具を有する車両座席用の背もたれ手段によって達成される。前記ヘッドレスト取付具は、上端部及び下端部を有する少なくとも一つのヘッドレストスリーブを有する。ここで、ヘッドレストが前記ヘッドレストスリーブの前記上端部に取り付けられ、構成要素が前記ヘッドレストスリーブの前記下端部に取り付けられるような仕様でヘッドレストが提供される。
【０００５】
本発明の各手段によれば、ヘッドレストを背もたれに取り付けることに加えて、特に他の取付用装置を不要としながらも他の構成要素を背もたれに取り付けることが有利に可能である。前記ヘッドレストスリーブの下端部への構成要素の取り付けにより、ヘッドレスト機能を妨げることも、或いはヘッドレストの取り付けを変える必要もない。加えて、構成要素は、発泡性カバー及び布地の上に取り付けられるので、前記背もたれが完成された後でさえも、椅子張り用品又はカバー又は布地を痛めることなく、前記構成要素を交換できる。
【０００６】
支持具は、好ましくは、前記ヘッドレストスリーブを含む。例えば、溶着手段によって、結合が生成されるので、前記支持具はバックプレートに好ましくは連結される。前記ヘッドレストスリーブは、同様に好ましくは前記支持具に溶着される。支持具は好ましくは前記背もたれの支持用構造である。前記支持具はバックプレートに連結されるのではなく、むしろ前記支持具は前記背もたれのためにのみ必要であるとも考えられる。さらにまた、前記ヘッドレストスリーブは、前記バックプレートに連結され、前記背もたれのためには支持具は不要とも考えられる。
【０００７】
前記構成要素は、好ましくはスクリーンであり、さらに少なくとも一つの挿入スリーブを有する。前記挿入スリーブは、好ましくは前記スクリーンを備える単一部品として形成されるので、前記スクリーンは、例えば、プラスチックで構成される。ここで単一部品はスクリーン及び挿入スリーブが製造の間一つの構成要素として製造されると理解される。挿入スリーブの数は、好ましくはヘッドレストスリーブの数と等しい。
【０００８】
前記構成要素の挿入スリーブの少なくとも一本は、前記ヘッドレストスリーブの下端部に摩擦及び／又はインターロック手段にて好ましくは結合される。この手段により、前記構成要素は、前記ヘッドレストスリーブの下端部に、接着剤又は溶着シームのような、他の取り付け手段を不要とする有利な手段によって結合される。
【０００９】
前記構成要素の挿入スリーブは、好ましくは前記ヘッドレストスリーブの直径よりも大きな直径を有する。前記挿入スリーブは、したがって前記ヘッドレストスリーブの下端部に被せられるか、或いは前記ヘッドレストスリーブは挿入スリーブの中に挿入される。この場合、前記構成要素及びヘッドレストスリーブ間のインターロック及び摩擦結合は、特に複雑ではない仕様にて達成される。特に、前記取付時間は、複雑ではない迅速な取り付けのせいで、かなり短い。
【００１０】
さらに、前記構成要素は、第２の端部にてバックプレート及び／又は背もたれの支持具に取り付けられるのが好ましい。前記取り付けは、ここでは、前記構成要素及びバックプレート又は支持具の間にてクリップ接続手段によって行われる。前記構成要素は、その結果として、前記ヘッドレストスリーブ及びバックプレート又は支持具の間で取り付けられ、さらに前記構成要素はそれゆえ水平及び垂直変位に対してしっかりと取り付けられる。それにもかかわらず、前記クリップ結合が前記バックプレート又は前記支持具から解放され、さらに前記挿入スリーブが前記ヘッドレストスリーブから抜かれるので、前記構成要素は容易に解放される。前記構成要素の取付はそれゆえ可逆性となる。しかし、前記構成要素及びバックプレート又は支持具間の、例えば、接着剤での結合シームのような不可逆の連結も、考えられる。
【００１１】
前記構成要素は、アームレストの収納に特に好ましく適している。本発明に係る前記背もたれの場合、アームレストは、前記背もたれが形成された後に、前記構成要素に連結される。前記アームレストは、ここでは好ましくは、前記構成要素に旋回可能に結合され、さらに前記アームレストは水平の使用位置から垂直の非使用位置に、その逆も同様に変換される。非使用位置にあって、前記アームレストは、好ましくは、前記背もたれと同一平面にそろえられ、さらに、背もたれとして使用される。しかし、前記構成要素は、スクリーンとしてのみ働くか、或いは前記アームレストが使用位置に旋回されたときに見た目を保護する手段として働くことも考えられる。このケースにおいて、前記アームレストは、例えば、前記背もたれの支持具に取り付けられる。ここで、前記アームレストが使用のために、前記座席部の方向に旋回されると、前記構成要素が視認できる。
【００１２】
本発明は、さらに、ヘッドレスト取付具を有する背もたれを製造する方法にも関する。この方法にあって、支持具はバックプレートに取り付けられ、少なくとも一つのヘッドレストスリーブは前記支持具に取り付けられる。例えば発泡性の発泡性材料は、前記支持具の上に配置される。前記発泡性材料の厚さは、その下に配置される前記支持具が前記背もたれに寄りかかる搭乗者にとって本質的に感じられなくなるほどの仕様になるように、ここにおいて選択される。前記発泡性材料は、前記支持具の上ばかりでなく、バックプレート上にも置かれるのも考えられる。次の方法ステップにあって、布地は、搭乗者によって、もはや発泡性材料が見えなくなるように支持具を覆って取り付けられる。カバーとしても言及される、布地は、支持具およびバックプレートの両方を覆って広げられる。前記構成要素を取り付けるため、前記布地は少なくとも一つのカットアウトをヘッドレストスリーブの領域に有する。カットアウトは、製造の間に考慮に入れられても、或いは例えば布地をカットすることによって、布地に遡及的に導入されてもよい。発泡性材料は、前記発泡性材料がその上に配置された後であっても、前記ヘッドレストスリーブへのアクセスを可能とするように、ヘッドレストスリーブの領域内にて上向きに圧縮される。前記構成要素の挿入スリーブは、下からヘッドレストスリーブに布地のカットアウトを通して被せられる。このため、前記発泡性材料は、側部に押される。前記構成要素は、次にその第２の端部へバックプレート及び／又は支持具を連結する。このため、前記布地は、下部領域に、構成要素とバックプレート又は支持具間の結合を可能にするカットアウトを備える。
【００１３】
前記構成要素は、好ましくは、前記布地の上に配置される。この場合、前記発泡性材料は、前記構成要素の端部のみに配置されるか、さもなければ前記構成要素の下に配置される。しかし、前記構成要素は前記布地の下に配置されてもよい。この場合、前記構成要素は、前記アームレストの使用位置では見ることができない。この場合、前記発泡性材料は、前記構成要素の端部にのみ配置され、或いは構成要素の下にのみ見られる。
【図面の簡単な説明】
【００１４】
【図１】ヘッドレスト留め具を有する本発明に係る背もたれを概略的に示す図である。
【図２】２本のヘッドレストスリーブに取り付けられる構成要素を備える、背もたれ及び構成要素を概略的に示す図である。
【図３】構成要素及び、発泡性材料及び布地によって覆われる支持具を概略的に示す図である。
【図４】構成要素及びヘッドレストを有する背もたれを概略的に示す図である。
【発明を実施するための形態】
【００１５】
本発明は、以下に図面を参照して説明される。図面は、本発明に係る背もたれ及び背もたれを製造するための方法に等しく適用できる。また、図面は、全体的な発明の概念を制限するものではない。
【００１６】
図１は、発泡性材料及び布地１２を伴う支持具２の椅子張り用品が省略された、本発明に係る背もたれを示す。ヘッドレスト５は、二本のヘッドレストスリーブ３と共に、ヘッドレスト取付具１０を構成する、二本の保持用ロッド４を有している。ヘッドレスト５を背もたれ１に取り付けるため、保持用ロッド４はヘッドレストスリーブ３の上端部８の中に挿入される。この場合、インターロック及び／又は摩擦による結合が作り出される。この具体例にあっては、構成要素６は、下、すなわち方向Ａから、ヘッドレストスリーブ３の下端部９に、押し上げられる、二本の挿入スリーブ７を備える。このため、前記挿入スリーブ７は、ヘッドレストスリーブ３の直径よりも大きい直径を有する。ヘッドレストスリーブ３と挿入スリーブ７の間のインターロック及び／又は摩擦結合も、ヘッドレストスリーブ３の下端部９が挿入スリーブ７の中に挿入されるのであれば、生成されるということは言うまでもない。ヘッドレストスリーブ３が挿入スリーブ７に挿入された後、インターロック及び／又は摩擦結合が、ヘッドレストスリーブ３と挿入スリーブ７の間に生成される。ヘッドレスト５の機能は構成要素６をヘッドレストスリーブ３の下端部９に取り付けることによって弱められるものではない。構成要素６の付加的な留め具、又は挿入スリーブ７のヘッドレストスリーブ３への付加的な留め具は不要である。
【００１７】
図２は、ヘッドレストスリーブ３と関連して構成要素６を概略的に示す。結合は、この場合、ヘッドレストスリーブ３の下端部９に被せられるところの挿入スリーブ７によって作り出される。この場合にあって、ヘッドレストスリーブ３は、バックプレート１４に旋回して連結される支持具２に取り付けられる。挿入スリーブ７の手段によって取り付けられた後、構成要素６は第２の端部１１にて支持具２及び／又はバックプレート１４に連結される。例えば、この連結は、クリップ連結又はフック連結である。しかし、前記構成要素を、ねじ止め及び／又はしっかりとリベットで前記支持具及び／又はバックプレートに取り付けることも可能である。図２にあっては、見易い外観を提供するだけのために、発泡性材料で覆われた支持具又は布地１２を示していない。しかし、構成要素６は、好ましくは本来、結果的に、構成要素６が可逆的に交換されるように、発泡材料及び布地１２の上に配置される。構成要素６の下端部１１には、アームレストが好ましくは構成要素６に取り付けられる。しかし、アームレストは支持具２又はバックプレート１４に取り付けられることも可能であり、さらに構成要素６はスクリーン、又はアームレストが使用位置に旋回されたときの視界から守る手段として単に使われてもよい。アームレストは、使用位置から非使用位置、また逆もまた同様に旋回されるような仕様にて好ましくは取り付けられる。
【００１８】
図３は背もたれ１を発泡性材料及び布地と共に示す。この具体例にあって、発泡性材料は支持具２（図示せず）の周辺にのみ配置され、布地１２によって完全に覆われる。布地１２はここでは、支持具２及びバックプレート１４の両方に被せられる。構成要素６の背もたれ１への取り付けのため、布地１２は少なくとも一つのカットアウト１３を有する。カットアウト１３は、既に製造時に考慮に入れられるか、或いは布地をカットすることによって遡及的に形成される。挿入スリーブ７をヘッドスリーブの下端部９に被せるために、布地１２及び発泡性材料は、ヘッドレストスリーブ３の下端部９が露出されるように圧縮される。ヘッドレストスリーブ３の下端部９が挿入スリーブ７に連結された後、布地１２及び発泡性材料はもはや圧縮されないので、前記二つのスリーブ３、７間の連結はもはや視認されない。発泡性材料は、カットアウトも発泡性材料内で着手されるような方法でヘッドレストスリーブ３の下端部９の上に位置されてもよい。
【００１９】
図４は、ヘッドレスト５及び構成要素６が取り付けられた車両座席を示す。この場合において、構成要素６が支持具２又はバックプレート１４及びヘッドレストスリーブ３に連結される関係は、示されていない。
【符号の説明】
【００２０】
１  背もたれ
２  支持具
３  ヘッドレストスリーブ
４  保持用ロッド
５  ヘッドレスト
６  構成要素／スクリーン
７  挿入スリーブ
８  上部端（ヘッドレストスリーブ）
９  下端部（ヘッドレストスリーブ）
１０  ヘッドレスト取付具
１１  第２の端部（構成要素）
１２  布地
１３  カットアウト（布地）
１４  バックプレート
Ａ  方向
【図１】
0005470042.tif 000002
【図２】
0005470042.tif 000003
【図３】
0005470042.tif 000004
【図４】
0005470042.tif 000005